(57)【要約】      （修正有）【課題】ユーザーが安定的に体を支えて痛みが出にくく、長く継続して使用出来るボール式健康用具を課題とするもの。【解決手段】体を安定的に支えられるように、ユーザーの体格、使用部位の面積を考慮し、複数個（６個〜１０個）のボール１０を、配列自在になる余裕のある円形状袋１１に入れる事により、有効とされる部位の押圧刺激も体重が分散され安定し痛みも出にくく、配列変更可能により使用形態が点、線、面と自在になり使用可能な部位が全身に及び、使用時間も確保出来る。【選択図】図１
0003203257.tif 000002
【実用新案登録請求の範囲】
【請求項１】
３個以上の複数個のボールと、その各ボールを収納する袋よりなることを特徴とするボール式健康用具。
【請求項２】
前記ボールは、直径と硬さがテニスボール同等であることを特徴とする
請求項１記載のボール式健康用具。
【考案の詳細な説明】
【技術分野】
【０００１】複数個のボールを同時に用いる健康用具に関する。
【背景技術】
【０００２】運動補助具としてボール１個による運動は、バランスボールに代表されるように理学療法士や整形外科医により推奨されている。
しかしながら、ボール１個では、体との接点が１点であるため、体重が増加する傾向にある中高年者には、１点の押圧力が強くなりすぎて、効果を実感するまでの使用・継続が困難であった。
特許文献１（特開平９−２３９０６５号公報）には、リハビリテーション、小児の遊びながらの手や指の筋力強化、老人の手や指の筋力の低下防止などの健康用具が開示されている。特許文献２（特開平１０−３１４２５０号公報）には、握持サイズで血行・清浄・マッサージが出来る健康マッサージ具が開示されている。
【先行技術文献】
【特許文献】
【０００３】
【特許文献１】特開平９−２３９０６５号公報
【特許文献２】特開平１０−３１４２５０号公報
【考案の概要】
【考案が解決しようとする課題】
【０００４】  しかしながら、現在市販されている健康用具では、ユーザーの使用時に体が不安定になり、痛みが出やすく、長期使用に向かないという課題がある。本考案は、前記課題を解決するためになされたものであり、体を安定的に支えながら痛みが出にくく、有効的なツボ刺激を継続して出来る健康用具を提供することを目的とする。
【課題を解決するための手段】
【０００５】  本考案者は、鋭意研究を重ねた結果、本考案に係る新規なボール式健康用具を完成させた。即ち、本考案に係るボール式健康用具は、３個以上の複数個のボールと、その各ボールを収納する袋よりなることを特徴とする。例えば、複数個のボールを円形状袋に入れ、収納することにより、一方のボールがユーザーの有効部位のツボ刺激を継続して行えるように、また、他方のボールがユーザーの体を安定的に支えられるようにしている。これにより、使用時にユーザーの有効部位の位置が固定され、複数個のボールで体重の負荷を分散しながらユーザーの体の痛みを低減して運動が継続できるようにする。又、前記ボールは、直径と硬さがテニスボール同等であることを特徴とする。
【考案の効果】
【０００６】  本考案の構成にすることで、ボール１個でのツボ刺激に加え、複数個のボールを１面ととらえ、ユーザーが体を楽に上下・左右に連続移動することにより、ボールのツボ刺激によるマッサージ効果が表れる。このため、ユーザーの血流の促進と、筋肉疲労の改善がもたらされる。また、ボールを複数個にすることで使用部位が体全体に及ぶことが可能となり、体の不調や痛みの早期改善、健康維持又は健康増進が期待できる。
本考案の構成を袋とすることで、袋に収めているボールの状況が容易に確認でき、かつ、ユーザーの操作によりボールの配列替えが自由に行うことが可能となる。
【図面の簡単な説明】
【０００７】
【図１】本考案に係るボール式健康用具の一例を示す図（図１Ａ）と、本考案に係るボール式健康用具の第一のボール配列の一例を示す概念図（図１Ｂ）と、本考案に係るボール式健康用具の第二のボール配列の一例を示す概念図（図１Ｃ）と、本考案に係るボール式健康用具の第三のボール配列の一例を示す概念図（図１Ｄ）と、である。
【図２】本考案に係るボール式健康用具の第一の使用形態の一例を示す背面図及び側面図である。
【図３】本考案に係るボール式健康用具の第二の使用形態の一例を示す背面図及び側面図である。
【図４】本考案に係るボール式健康用具の第三の使用形態の一例を示す背面図及び側面図である。
【図５】本考案に係るボール式健康用具の第四の使用形態の一例を示す背面図及び側面図である。
【図６】本考案に係るボール式健康用具の第五の使用形態の一例を示す側面図（図６Ａ）と、本考案に係るボール式健康用具の第六の使用形態の一例を示す側面図（図６Ｂ）と、である。
【考案を実施するための形態】
【０００８】  図１Ａは、本考案に係るボール式健康用具の一例を示す図である。本考案に係るボール式健康用具１は、図１Ａに示すように、３個以上の複数個のボール１０と、その各ボールを収納する袋１１よりなることを特徴とする。本考案に係るボール式健康用具１は、複数個のボール１０を、ユーザーが再配列可能で、余裕丈を有する袋１１に収納することで得られ、複数個のボール１０を相互に隣接して配列出来る程度に袋１１に収納する。
図１Ｂは、本考案に係るボール式健康用具の第一のボール配列の一例を示す概念図である。図１Ｃは、本考案に係るボール式健康用具の第二のボール配列の一例を示す概念図である。図１Ｄは、本考案に係るボール式健康用具の第三のボール配列の一例を示す概念図である。本考案に係るボール式健康用具１は、例えば、図１Ｂに示すように、特定個（例えば、２個）のボール１０を一方向（縦方向又は横方向）に配列することで、複数個のボール１０が線状（棒状）として機能を果たすようにすることが出来る。更に、本考案に係るボール式健康用具１は、図１Ｃに示すように、１個のボール１０だけ突出させて、他の複数個（例えば、９個）のボール１０を集めて配列し、全体として略雫状に形成することで、つぼ刺激運動を行う、点として機能を果たすようにすることが出来る。又、本考案に係るボール式健康用具１は、図１Ｄに示すように、複数個のボール１０を略円形状に展開して配列することで、複数個のボール１０が面状として機能を果たすようにすることが出来る。このように、本考案に係るボール式健康用具１の全体形状は、ユーザーの使用形態に応じて適宜変更することが出来る。
前記ボールに特に限定は無いが、例えば、直径と硬さがテニスボール同等であると好ましい。又、前記ボールの個数に特に限定は無いが、例えば、ユーザーの体格、使用部位の面積を考慮し、６個から１０個の範囲内が好ましく、８個が最も好ましい。前記ボールの個数が６個では、ボールが形成する面の面積が狭くなり、１０個では、当該面積が広すぎる場合がある。尚、市販品として、２個のテニスボールをテープで隣接配置した健康用具が存在するが、ボールの個数が少ないため、上述した線、点、面などの多機能を発揮し得ない。前記袋に特に限定は無いが、例えば、布袋でも良いしポリエチレン等の素材で構成されたネットでも良い。
【実施例】
【０００９】  図２は、本考案に係るボール式健康用具の第一の使用形態の一例を示す背面図及び側面図である。図２に示すように、本考案に係るボール式健康用具１のボールを縦配列の線状にし、ユーザーが、その線状にユーザーの脊椎を沿わせて、体全体を上下運動させることで、マッサージ運動をしている。
図３は、本考案に係るボール式健康用具の第二の使用形態の一例を示す背面図及び側面図である。図３に示すように、本考案に係るボール式健康用具１のボールを横配列の線状にし、ユーザーが、その線状にユーザーの腰を沿わせて、腰を左右運動させることで、腰の押圧を実現している。【００１０】  図４は、本考案に係るボール式健康用具の第三の使用形態の一例を示す背面図及び側面図である。図４に示すように、本考案に係るボール式健康用具１のボールを略零状に形成し、ユーザーが、その１個のボール（点）に、有効とされる股関節を配置し、その他のボールに臀部を配置すると、股関節及び臀部の双方がボール式健康用具１の上に安定的に固定される。そこで、ユーザーが、膝を立てて、開脚運動をすることで、ユーザーの股関節付近のツボを、安定して、且つ、効果的に刺激することが出来る。図４では、左側の股関節としているが、右側に略零状の１個のボールを配置すれば、右側の股関節付近のツボを同様に刺激することが出来る。
図５は、本考案に係るボール式健康用具の第四の使用形態の一例を示す背面図及び側面図である。図５に示すように、本考案に係るボール式健康用具１のボールを面状（円状）に形成し、ユーザーが、その上にうつ伏せになって、面状にユーザーの腹部（腸）を合わせて、腹部で円の字を描くように回転させたり、上下左右に動かしたりすることで、マッサージ運動をしている。
図６Ａは、本考案に係るボール式健康用具の第五の使用形態の一例を示す側面図であり、図６Ｂは、本考案に係るボール式健康用具の第六の使用形態の一例を示す側面図である。更に、図６Ａに示すように、本考案に係るボール式健康用具１を肩近傍に当てて、肩を上下左右に動かしても良いし、図６Ｂに示すように、本考案に係るボール式健康用具１を膝の裏のくぼみ（膝窩）やふくらはぎ（腓腹）に当てて、膝を上下左右に動かしても良い。
このように、有効とされる部位の押圧刺激において、ユーザーがボール式健康用具１の上に部位を置いた際に、各ボール毎に体重が分散され、体位が安定し、痛みを伴わずに、且つ、効果的に部位を刺激することが出来る。又、ボールの配列が変更可能であるから、ボール式健康用具の使用形態が点、線、面と自在になり、全身を使用可能な部位にすることが出来る。又、痛みが伴わないことから、ユーザーは長時間継続して使用することが出来る。
【産業上の利用可能性】
【００１１】  本考案に係る健康用具では、使用時の体の安定と、痛みの軽減と、有効なツボ刺激を実現するとともに、身近にある材料で構成することが出来、更に、時間的制約を受けずに行える。又、電力を使用せず、誰もが安全にマッサージ運動をすることができるため、一般普及が見込める。
【符号の説明】
【００１２】  １  ボール式健康用具
１０  ボール
１１  袋
【図１】
0003203257.tif 000003
【図２】
0003203257.tif 000004
【図３】
0003203257.tif 000005
【図４】
0003203257.tif 000006
【図５】
0003203257.tif 000007
【図６】
0003203257.tif 000008
【手続補正書】
【提出日】平成27年12月15日(2015.12.15)
【手続補正１】
【補正対象書類名】実用新案登録請求の範囲
【補正対象項目名】請求項１
【補正方法】変更
【補正の内容】
【請求項１】
３個以上の複数個のボールと、その複数個のボールを収納し、相互に隣接して配列できる大きさを有した袋よりなることを特徴とするボール式健康用具。